(57)【要約】【課題】ワーク締付時に挟持カムが回転してワークの表面に食い込み、ワークを確実に保持することができるクランプを提供することである。【解決手段】可動顎部材１３が、一方の脚部１２ａの内面に開口する収納穴１５にスライド可能に収納され、かつ、出口方向に押圧付勢された回転スライドブロック１８と、回転スライドブロック１８の内面側に開口した回動穴１９に、その首振り頭部１７ａが首振り自在に取り付けられた可動顎１７と、一方の脚部１２ａ又は回転スライドブロック１８のいずれか一方に設けられた軸方向に対して傾斜する傾斜孔２２に挿入され、一方の脚部１２ａ又は回転スライドブロック１８のいずれか他方に取り付けられ、且つ可動顎１７の首振り頭部１７ａに凹設された係止穴１７ｇに挿入されたガイドピン２３とで構成されていることを特徴とする。【選択図】図２
2011179663.tif 000002
【特許請求の範囲】
【請求項１】
(1a)  略コ字状のクランプ本体、クランプ本体の一方の脚部の内面側に設けられた可動顎部材及び他方の脚部に可動顎部材に向かって螺進螺退可能に取り付けられたクランプネジとで構成されたクランプにおいて、
(1b)  可動顎部材が、
(1b1)  一方の脚部の内面に開口する収納穴にスライド可能に収納され、かつ、出口方向に押圧付勢された回転スライドブロックと、
(1b2)  回転スライドブロックの内面側に開口した回動穴に、その首振り頭部が首振り自在に取り付けられた可動顎と、
(1b3)  一方の脚部又は回転スライドブロックのいずれか一方に設けられた軸方向に対して傾斜する傾斜孔に挿入され、一方の脚部又は回転スライドブロックのいずれか他方に取り付けられ、且つ可動顎の首振り頭部に凹設された係止穴に挿入されたガイドピンとで構成されていることを特徴とする
(1c)  クランプ。
【請求項２】
請求項１に記載のクランプにおいて、
一方の脚部の外面に固定目印が設けられ、締め付け時に前記傾斜孔の回転方向への必要回転量だけ回転スライドブロックが回転した時、固定目印に一致する回転目印が回転スライドブロックの前記脚部からの突出部分に設けられていることを特徴とするクランプ。
【発明の詳細な説明】
【技術分野】
【０００１】
本発明は、鉄板、形鋼、平鋼等のワークをワイヤーロープで吊下保持するのに用いられるクランプに関する。
【背景技術】
【０００２】
この種のクランプの一例が例えば特許文献１（図３）に開示されている。この従来のクランプは、開口部を挟んで対向する一対の脚部を有する概してＵ字形のクランプ本体と、前記一方の脚部に回転自在に装着される回転顎と、前記他方の脚部を貫通する装着孔に対して相対回転不能且つ軸方向に相対移動可能に装着されるプレッシャナットと、前記プレッシャナットの雌ネジに螺合されて前記回転顎と対向する締付ボルトと、前記プレッシャナットの先端部を前記他方の脚部の内側開口端から突出させる方向に付勢する付勢手段と、前記回転顎と前記締付ボルトの間に吊荷を挟んだ状態で前記締付ボルトを締め付けたときに前記プレッシャナットが前記付勢手段に抗して所定距離後退したことをもって規定の締付力が吊荷に働いたことを確認するために前記プレッシャナットに設けられる締付確認手段とを有するもので、前記締付確認手段が前記プレッシャナットの先端所定箇所の外周部に刻設される周回溝に完全に収容された状態で嵌着されるリング部材であり、この締付確認手段の存在により、この締付確認手段が後退して装着孔内に入り込んで外部から見えなくなったことにより締め付け完了を外部から確認することができ、確実の締め付けを外部から常に確認することができる。
【先行技術文献】
【特許文献】
【０００３】
【特許文献１】特許第３６５１５２１号公報（図３）
【発明の概要】
【発明が解決しようとする課題】
【０００４】
しかしながら、締付ボルトは、ワークの締め付け時において他方の脚部に相対回転不能且つ軸方向に相対移動可能に装着されたプレッシャナットの没入方向と反対の突出方向に軸方向に移動するのみであり、回転顎はワークの傾きに沿って首を振るのみであり、ワークは締付ボルトの締付力によって単に挟みつけられているだけである。
【０００５】
したがって、回転顎の脚部との取付部分に異物が噛み込んでいる場合や、締付ボルトの螺進時の動きが悪い場合には、ワークを吊り上げて移動させている最中に回転顎や締付ボルトが僅かに動いて締付ボルトによる締付力が減少してワークを落とす恐れがあった。
【０００６】
本発明は、かかる従来の問題に鑑みてなされたものであり、ワーク締付時に挟持カムが回転してワークの表面に食い込み、ワークを確実に保持することができると同時に外部からワークの締め付けを確認することができるクランプを提供することである。
【課題を解決するための手段】
【０００７】
請求項１に記載した発明は、「略コ字状のクランプ本体１２、クランプ本体１２の一方の脚部１２ａの内面側に設けられた可動顎部材１３及び他方の脚部１２ｂに可動顎部材１３に向かって螺進螺退可能に取り付けられたクランプネジ１４とで構成されたクランプ１０において、可動顎部材１３が、一方の脚部１２ａの内面に開口する収納穴１５にスライド可能に収納され、かつ、出口方向に押圧付勢された回転スライドブロック１８と、回転スライドブロック１８の内面側に開口した回動穴１９に、その首振り頭部１７ａが首振り自在に取り付けられた可動顎１７と、一方の脚部１２ａ又は回転スライドブロック１８のいずれか一方に設けられた軸方向に対して傾斜する傾斜孔２２に挿入され、一方の脚部１２ａ又は回転スライドブロック１８のいずれか他方に取り付けられ、且つ可動顎１７の首振り頭部１７ａに凹設された係止穴１７ｇに挿入されたガイドピン２３とで構成されている」ことを特徴とするクランプ１０である。
【０００８】
請求項２に記載した発明は、請求項１に記載のクランプ１０において「一方の脚部１２ａの外面に固定目印２４が設けられ、締め付け時に前記傾斜孔２２の回転方向への必要回転量だけ回転スライドブロック１８が回転した時、固定目印２４に一致する回転目印２５が回転スライドブロック１８の前記脚部１２ａからの突出部分２６に設けられている」ことを特徴とする。
【発明の効果】
【０００９】
この発明によれば、ワーク１１の締め付け時、クランプネジ１４の締め込みによって可動顎部材１３が押圧付勢方向に抗して脚部１２ａの収納穴１５への没入方向にスライド移動する。この時、回転スライドブロック１８が、ガイドピン２３にガイドされて傾斜孔２２の軸方向に対して直角方向に没入しつつ回転する。
【００１０】
ここで、前記ガイドピン２３は、可動顎１７の首振り頭部１７ａの係止穴１７ｇに挿入されているため、可動顎１７は回転スライドブロック１８の回転と共に回転し、可動顎１７がワーク１１の表面に食い込み、ワーク１１の保持を確実にする。
【００１１】
しかも、この傾斜孔２２の回転方向への回転量(S)だけ回転スライドブロック１８が回転した時、回転スライドブロック１８の前記脚部１２ａからの突出部分２６に設けられている固定目印２４に回転目印２５が一致するので、外部から締め付け完了を確認することもできる。
【図面の簡単な説明】
【００１２】
【図１】本発明にかかるクランプを示す一部切欠正面図である。
【図２】図１におけるワーク締め付け前のＸ−Ｘ線部分断面図である。
【図３】図１におけるワーク締め付け後のＸ−Ｘ線部分断面図である。
【図４】本発明の固定目印と可動目印の関係を表す部分正面図である。
【図５】本発明の固定筒部を示す側面図、縦断面図及び横断面図である。
【図６】本発明の可動顎を示す正面図及び横断面図である。
【図７】本発明の回転スライドブロックを示す断面図である。
【発明を実施するための形態】
【００１３】
以下、本発明を図面に従って説明する。図１に示すように、クランプ１０のクランプ本体１２は略コ字状で、本体部分および一方の脚部１２ａの外面にロープ取り付け用の吊環２０、２１が形成されており、クランプ本体１２の一方の脚部１２ａの内面側に可動顎部材１３が取り付けられ、他方の脚部１２ｂには前記可動顎部材１３に向かって螺進螺退可能にクランプネジ１４が取り付けられている。そして、一方の脚部１２ａの内面側には、２段（もちろん、３段以上に形成してもよい）にて次第に縮径して段状に形成された凹穴２８が凹設されており、それぞれを大径穴部２８ａ及び小径孔部２８ｂとし、大径穴部２８ａに一方の脚部１２ａの一部を構成する固定筒部２９が嵌め込まれ、止めねじ固定されるようになっており、固定筒部２９が大径穴部２８ａに取り付けられた状態において、固定筒部２９の内周面から小径孔部２８ｂに至る空洞部分が脚部１２ａの内面に開口する収納穴１５となる。
【００１４】
固定筒部２９は、図５に示すように、その側面に軸方向に対して傾斜する傾斜孔２２が形成され、その両脇には、止めネジの止め穴となる固定穴３０が凹設されている。
【００１５】
可動顎部材１３の可動顎１７は、図６に示すように、球状の首振り頭部１７ａとこれに続く細径の首部１７ｂ及び首部１７ｂがその外面側中央に設けられた円盤状でその内面側であるワーク１１との挟持面１７ｄが球面の一部を切り取った突曲面に形成され、且つ鋭い同心円状の多条の突条あるいは多数の円錐状の突起１７ｅが形成されている挟持カム１７ｃで構成されている。また、首振り頭部１７ａの頭頂部には半球状あるいは円錐状の凹穴１７ｆが形成されている。
【００１６】
そして、首振り頭部１７ａの側面には、係止穴１７ｇが凹設されている。本実施例では可動顎１７の首振りを容易にするため係止穴１７ｇを軸方向に延びた長穴としている。
【００１７】
可動顎部材１３の回転スライドブロック１８は、図７に示すように、太径部分１８ａおよび太径部分１８ａと同軸にてその中央から突出された細径部分１８ｂにより構成されている。回転スライドブロック１８の太径部分１８ａには、回動穴１９が形成されており、その穴底から細径部分１８ｂを貫通するばね保持孔１８ｃが形成されており、その開口部付近には、２本の貫通孔１８ｄが所定間隔を隔てて穿設されている。さらに太径部分１８ａの側面には、その外側面から回動穴１９に貫通する貫通孔１８ｅが穿設されている。
【００１８】
上記実施例では、固定筒部２９に傾斜孔２２を形成し、回転スライドブロック１８に貫通孔１８ｅを形成した場合を示したが、固定筒部２９と回転スライドブロック１８との関係は、ワーク１１の締め付け時における固定筒部２９に対する回転スライドブロック１８の没入方向への移動時に一方の脚部１２ａを構成する固定筒部２９と回転スライドブロック１８とが相対的に回転すれば足り、図示していないが、固定筒部２９に貫通孔１８ｅを穿設し、回転スライドブロック１８に傾斜孔２２を設けるようにしてもよい。
【００１９】
ガイドピン２３は、円柱状のもので、前記貫通孔１８ｅ、長穴に形成されている係止穴１７ｇおよび傾斜孔２２に、その短径に対して「がた」のない状態で嵌まり込む直径を有する。
【００２０】
一方の脚部１２ａの内面に開口する収納穴１５には、回転スライドブロック１８がスライド且つ回動可能に収納されており、回転スライドブロック１８の細径部分１８ｂが収納穴１５の小径孔部２８ｂ内にスライド且つ回動可能に嵌め込まれており、前記細径部分１８ｂの外周を取り巻くように複数のさらばねで構成された弾発材１６が嵌め込まれており、収納穴１５の大径穴部２８ａの穴底と回転スライドブロック１８の段部とに接触して回転スライドブロック１８を押し出す方向に付勢している。
【００２１】
また、回転スライドブロック１８のばね保持孔１８ｃにコイルスプリング３３が配設されており、可動顎１７の首振り頭部１７ａの凹穴１７ｆに嵌め込まれたボール３４を介して前記コイルスプリング３３が首振り頭部１７ａを押し出し方向に押圧付勢している。コイルスプリング３３の弾発力と前記弾発材１６の弾発力とを比較すると、弾発材１６の弾発力の方がコイルスプリング３３の弾発力より強く構成されている。
【００２２】
回転スライドブロック１８の回動穴１９には、可動顎１７の首振り頭部１７ａが嵌まり込んでおり、２本の貫通孔１８ｄのそれぞれに挿入されたピン３４によって首振り頭部１７ａの前後方向への移動が規制されている。このように、可動顎１７の首振り頭部１７ａは、回転スライドブロック１８に対して遊びのない状態で取り付けられることになるが、回動穴１９内における首振り運動は可能である。
【００２３】
また、一方の脚部１２ａの外面（本実施例では、脚部１２ａからの固定筒部２９の突出部分２９ａ）には、固定目印２４が設けられている。
【００２４】
これに対して、回転スライドブロック１８の前記脚部１２ａの突出部分（本実施例では、固定筒部２９からの突出部分２６ａ）には、固定目印２４に対応し、締め付け時に傾斜孔２２の回転方向への回転量だけ回転スライドブロック１８が回転した時、固定目印２４に一致する回転目印２５が設けられている。
【００２５】
本実施例において、固定目印２４および回転目印２５は、軸方向に沿って刻設された部分に黒地に対して目立つように白又は黄色の蓄光塗料を矩形状に塗布することにより形成されている。固定目印２４、回転目印２５は一箇所でもよいし、突出部分２９ａ、２６ａの外周面に等間隔で全周にわたって形成してもよい。
【００２６】
クランプ本体１２の他方の脚部１２ｂには、可動顎部材１３に向かう貫通太孔３１が穿設され、一体となって他方の脚部１２ｂを構成するナット部材３２がこの貫通太孔３１に嵌め込まれている。
【００２７】
ナット部材３２の内周面には、雌ネジが刻設されており、外周面には、ねじ固定穴３２ａが凹設されている。そして、このナット部材３２に太径のクランプネジ１４が螺進螺退可能に螺装されている。
【００２８】
クランプネジ１４の挟持カム１７ｃの挟持面１７ｄ側に向かう挟持面１４ａには、前記挟持面１７ｄと同様、鋭い同心円状の多条の突条あるいは多数の円錐状の突起１４ｅが形成されている。反対側の部分には、六角柱状のスパナ掛け部１４ｂが設けられており、該スパナ掛け部１４ｂには、その一面から反対側の面に貫通するハンドル挿通孔１４ｃが穿設され、図示しないハンドルが必要に応じて取り付けられている。
【００２９】
しかして、ワーク１１を可動顎部材１３とクランプネジ１４との間に配置し、クランプネジ１４を回転させて螺進させる。ワーク１１は、クランプネジ１４の螺進に従ってクランプネジ１４と可動顎部材１３とで挟み付けられることになる（図２参照）。
【００３０】
可動顎１７の首振り頭部１７ａは、上述したようにフリーに首振り可能な状態となっており、ワーク１１の挟み付け状態に合わせて可動顎１７が、長穴である係止穴１７ｇによるガイドピン２３のガイド作用に従って首を振り、クランプネジ１４との関係で丁度よい角度でワーク１１の挟み付けが行われる。この時点では、回転目印２５は図４（ａ）に示すように固定目印２４に対して離れた位置にある。
【００３１】
クランプネジ１４を更に螺進させると、弾性体１６とコイルスプリング３３とが共に撓み、回転スライドブロック１８の細径部分１８ｂが凹穴２８の小径孔部２８ｂの孔底に突き当たるまで押し込まれる（図３参照）。
【００３２】
この時、一方の脚部１２ａを構成する固定筒部２９の傾斜孔２２ならびに回転スライドブロック１８の貫通孔１８ｅにその外側端部が嵌め込まれているガイドピン２３のガイド作用により、回転スライドブロック１８が固定筒部２９に対して回転する。そして、この回転と共に回転目印２５が固定目印２４に対して近づいて行く（図４（ｂ）参照）。
【００３３】
ガイドピン２３の内側端部は、首振り頭部１７ａの軸方向に伸びた係止穴１７ｇに嵌まり込んでいるので、回転スライドブロック１８の回転と共に可動顎１７も回転する。そして、ワーク１１を介して対向位置であるクランプネジ１４と協働して両者の挟持面１７ｄ、１４ａの突条または突起１７ｅ、１４ｅがワーク１１の表面に食い込む。
【００３４】
この状態で更にクランプネジ１４を押し込んで行くと、回転スライドブロック１８の回転と共に固定目印２４に対して回転目印２５は近づき、最終的には一致する。一致した処でクランプは完了し、必要量の回転量が回転して必要な締め込みが行われたことを外部から確認することが出来る。この時の突出部分２６ａの出代Ｌ２は、回転スライドブロック１８は押し込まれて最初の出代Ｌ１より小さい。そして、図３に示すように回転スライドブロック１８の細径部分１８ｂは凹穴２８の小径孔部２８ｂの穴底迄押し込まれている。
【００３５】
以上のようにクランプが完了した時点で、クランプ１０の吊環２０（又は２１）に取り付けられた図示しないワイヤーロープを引き、挟持状態を保ったままワーク１１を吊り上げ、目的地に移送する。目的地に着くとクランプネジ１４を緩めると、挟み付け時に逆の動作で、弾発体１６が伸びて可動顎１７と回転スライドブロック１８を押し出しながら逆回転し、最後にコイルスプリング３３が伸び切り、更に緩められてクランプ１０がワーク１１から離れる。
【符号の説明】
【００３６】
１０…クランプ
１１…ワーク
１２…クランプ本体
１２ａ…一方の脚部
１２ｂ…他方の脚部
１３…可動顎部材
１４…クランプネジ
１５…収納穴
１７…可動顎
１７ａ…首振り頭部
１７ｇ…係止穴
１８…回転スライドブロック
１９…回動穴
２２…傾斜孔
２３…ガイドピン
２４…固定目印
２５…回転目印
２６…突出部分
２９…固定筒部
【図１】
2011179663.tif 000003
【図２】
2011179663.tif 000004
【図３】
2011179663.tif 000005
【図４】
2011179663.tif 000006
【図５】
2011179663.tif 000007
【図６】
2011179663.tif 000008
【図７】
2011179663.tif 000009